(57)【要約】【課題】  本発明の目的は、撮影時に生じる画像のノイズを低減するための最適な強度のノイズリダクションパラメータを決定することができるノイズリダクション装置およびノイズリダクションプログラムを提供することである。【解決手段】  本発明のノイズリダクション装置（１６〜２３）は、取得した無彩色画像からノイズ量を算出する算出手段（１９）と、算出手段によって算出されたノイズ量を、予め定められた基準ノイズ量と比較することにより、画像に施すノイズ低減処理の強度パラメータを決定する決定手段（１９）とを備える。【選択図】  図１
2010130627.tif 000002
【特許請求の範囲】
【請求項１】
取得した無彩色画像からノイズ量を算出する算出手段と、
前記算出手段によって算出された前記ノイズ量を、予め定められた基準ノイズ量と比較することにより、画像に施すノイズ低減処理の強度パラメータを決定する決定手段と
を備えたことを特徴とするノイズリダクション装置。
【請求項２】
請求項１に記載のノイズリダクション装置において、
前記無彩色画像は、ユーザーにより予め与えられた無彩色の被写体を撮影した画像である
ことを特徴とするノイズリダクション装置。
【請求項３】
請求項１に記載のノイズリダクション装置において、
前記無彩色画像は、遮光状態で撮影された暗黒画像である
ことを特徴とするノイズリダクション装置。
【請求項４】
請求項１〜請求項３の何れか一項に記載のノイズリダクション装置において、
前記算出手段が算出する前記ノイズ量は、前記無彩色画像の画像信号の最大値と最小値との差、標準偏差、分散、空間周波数変換後の高周波成分の大きさの何れかである
ことを特徴とするノイズリダクション装置。
【請求項５】
請求項１〜請求項４の何れか一項に記載のノイズリダクション装置において、
前記決定手段は、前記算出手段によって算出された前記ノイズ量が、前記基準ノイズ量と等しい場合には、前記基準ノイズ量に対して予め定められた強度パラメータを前記ノイズ低減処理の強度パラメータとして決定する
ことを特徴とするノイズリダクション装置。
【請求項６】
請求項１〜請求項５の何れか一項に記載のノイズリダクション装置において、
前記決定手段は、前記算出手段によって算出された前記ノイズ量が、前記基準ノイズ量の一段階上または一段階下の予め定められたノイズ量と等しい場合には、前記一段階上または一段階下のノイズ量に対して予め定められた強度パラメータを前記ノイズ低減処理の強度パラメータとして決定する
ことを特徴とするノイズリダクション装置。
【請求項７】
請求項１〜請求項６の何れか一項に記載のノイズリダクション装置において、
前記決定手段は、前記算出手段によって算出された前記ノイズ量が、前記基準ノイズ量を超え、かつ、前記一段階上のノイズ量を下回る値である場合には、前記基準ノイズ量に対して予め定められた強度パラメータと、前記一段階上のノイズ量に対して予め定められた強度パラメータとを加重平均し、その結果の値を前記ノイズ低減処理の強度パラメータとして決定する
ことを特徴とするノイズリダクション装置。
【請求項８】
請求項１〜請求項７の何れか一項に記載のノイズリダクション装置において、
前記決定手段は、前記算出手段によって算出された前記ノイズ量が、前記基準ノイズ量を下回り、かつ、前記一段階下のノイズ量を超える値である場合には、前記基準ノイズ量に対して予め定められた強度パラメータと、前記一段階下のノイズ量に対して予め定められた強度パラメータとを加重平均し、その結果の値を前記ノイズ低減処理の強度パラメータとして決定する
ことを特徴とするノイズリダクション装置。
【請求項９】
請求項７または請求項８に記載のノイズリダクション装置において、
前記決定手段は、前記加重平均する際に、前記算出手段によって算出された前記ノイズ量と近い値の方の強度パラメータに対して重みを大きくする
ことを特徴とするノイズリダクション装置。
【請求項１０】
請求項１〜請求項９の何れか一項に記載のノイズリダクション装置において、
前記決定手段は、前記算出手段によって算出された前記ノイズ量が、予め定められた許容量を超える場合、または予め定められた許容量を下回る場合には、前記ノイズ低減処理の強度パラメータを既存の決定方法によって決定する
ことを特徴とするノイズリダクション装置。
【請求項１１】
請求項１〜請求項１０の何れか一項に記載のノイズリダクション装置において、
前記決定手段によって決定された前記強度パラメータに基づき、撮影画像に対して前記ノイズ低減処理を施す画像処理手段を更に備え、
前記画像処理手段は、前記撮影画像が、前記無彩色画像が撮影されたときから予め定められた時間を経過した後に撮影されたものである場合には、前記決定手段によって決定された前記強度パラメータに代えて、既存の決定方法によって決定された強度パラメータを使用する
ことを特徴とするノイズリダクション装置。
【請求項１２】
請求項１１に記載のノイズリダクション装置において、
前記画像処理手段は、前記撮影画像が撮影されたときの該撮影を行った装置の温度が、予め定められた温度よりも高い場合には、前記決定手段によって決定された前記強度パラメータに代えて、既存の決定方法によって決定された強度パラメータを使用する
ことを特徴とするノイズリダクション装置。
【請求項１３】
取得した無彩色画像からノイズ量を算出する算出ステップと、
前記算出ステップによって算出された前記ノイズ量を、予め定められた基準ノイズ量と比較することにより、画像に施すノイズ低減処理の強度パラメータを決定する決定ステップと
をコンピュータに実行させることを特徴とするノイズリダクションプログラム。
【請求項１４】
請求項１３に記載のノイズリダクションプログラムにおいて、
前記無彩色画像は、ユーザーにより予め与えられた無彩色の被写体を撮影した画像である
ことを特徴とするノイズリダクションプログラム。
【請求項１５】
請求項１３に記載のノイズリダクションプログラムにおいて、
前記無彩色画像は、遮光状態で撮影された暗黒画像である
ことを特徴とするノイズリダクションプログラム。
【請求項１６】
請求項１３〜請求項１５の何れか一項に記載のノイズリダクションプログラムにおいて、
前記算出ステップが算出する前記ノイズ量は、前記無彩色画像の画像信号の最大値と最小値との差、標準偏差、分散、空間周波数変換後の高周波成分の大きさの何れかである
ことを特徴とするノイズリダクションプログラム。
【請求項１７】
請求項１３〜請求項１６の何れか一項に記載のノイズリダクションプログラムにおいて、
前記決定ステップは、前記算出ステップによって算出された前記ノイズ量が、前記基準ノイズ量と等しい場合には、前記基準ノイズ量に対して予め定められた強度パラメータを前記ノイズ低減処理の強度パラメータとして決定する
ことを特徴とするノイズリダクションプログラム。
【請求項１８】
請求項１３〜請求項１７の何れか一項に記載のノイズリダクションプログラムにおいて、
前記決定ステップは、前記算出ステップによって算出された前記ノイズ量が、前記基準ノイズ量の一段階上または一段階下の予め定められたノイズ量と等しい場合には、前記一段階上または一段階下のノイズ量に対して予め定められた強度パラメータを前記ノイズ低減処理の強度パラメータとして決定する
ことを特徴とするノイズリダクションプログラム。
【請求項１９】
請求項１３〜請求項１８の何れか一項に記載のノイズリダクションプログラムにおいて、
前記決定ステップは、前記算出ステップによって算出された前記ノイズ量が、前記基準ノイズ量を超え、かつ、前記一段階上のノイズ量を下回る値である場合には、前記基準ノイズ量に対して予め定められた強度パラメータと、前記一段階上のノイズ量に対して予め定められた強度パラメータとを加重平均し、その結果の値を前記ノイズ低減処理の強度パラメータとして決定する
ことを特徴とするノイズリダクションプログラム。
【請求項２０】
請求項１３〜請求項１９の何れか一項に記載のノイズリダクションプログラムにおいて、
前記決定ステップは、前記算出ステップによって算出された前記ノイズ量が、前記基準ノイズ量を下回り、かつ、前記一段階下のノイズ量を超える値である場合には、前記基準ノイズ量に対して予め定められた強度パラメータと、前記一段階下のノイズ量に対して予め定められた強度パラメータとを加重平均し、その結果の値を前記ノイズ低減処理の強度パラメータとして決定する
ことを特徴とするノイズリダクションプログラム。
【請求項２１】
請求項１９または請求項２０のノイズリダクションプログラムにおいて、
前記決定ステップは、前記加重平均する際に、前記算出ステップによって算出された前記ノイズ量と近い値の方の強度パラメータに対して重みを大きくする
ことを特徴とするノイズリダクションプログラム。
【請求項２２】
請求項１３〜請求項２１の何れか一項に記載のノイズリダクションプログラムにおいて、
前記決定ステップは、前記算出ステップによって算出された前記ノイズ量が、予め定められた許容量を超える場合、または予め定められた許容量を下回る場合には、前記ノイズ低減処理の強度パラメータを既存の決定方法によって決定する
ことを特徴とするノイズリダクションプログラム。
【請求項２３】
請求項１３〜請求項２２の何れか一項に記載のノイズリダクションプログラムにおいて、
前記決定ステップによって決定された前記強度パラメータに基づき、撮影画像に対して前記ノイズ低減処理を施す画像処理ステップを更にコンピュータに実行させ、
前記画像処理ステップは、前記撮影画像が、前記無彩色画像が撮影されたときから予め定められた時間を経過した後に撮影されたものである場合には、前記決定ステップによって決定された前記強度パラメータに代えて、既存の決定方法によって決定された強度パラメータを使用する
ことを特徴とするノイズリダクションプログラム。
【請求項２４】
請求項２３に記載のノイズリダクションプログラムにおいて、
前記画像処理ステップは、前記撮影画像が撮影されたときの該撮影を行った装置の温度が、予め定められた温度よりも高い場合には、前記決定ステップによって決定された前記強度パラメータに代えて、既存の決定方法によって決定された強度パラメータを使用する
ことを特徴とするノイズリダクションプログラム。
【発明の詳細な説明】
【技術分野】
【０００１】
本発明は、撮影された画像（撮影画像）のノイズを低減するノイズリダクション装置およびノイズリダクションプログラムについて、特に、撮影時に生じる画像のノイズを低減するための最適な強度のノイズリダクションパラメータを決定することができるノイズリダクション装置およびノイズリダクションプログラムに関する。
【背景技術】
【０００２】
撮影画像のノイズを低減する方法として、例えば、デジタルカメラなどの撮像装置においては、撮影感度（ＩＳＯ感度）に応じた強度で撮影画像のノイズを低減する方法が一般に知られている。
【０００３】
しかし、撮影画像のノイズは、撮像装置を構成する撮像素子や信号処理回路などの個体差によってその生じる量が異なるので、この方法では、撮影時に生じる撮影画像のノイズを適切に低減することができなかった。
【０００４】
そこで、撮影時に生じる撮影画像のノイズを低減する従来技術の一例として、例えば、特許文献１では、撮影した撮影画像からノイズ量を求め、そのノイズ量に最適となる強度で撮影画像のノイズを低減する方法が開示されている。
【特許文献１】特開２００８−１２４７６４号公報
【発明の開示】
【発明が解決しようとする課題】
【０００５】
しかしながら、従来技術では、撮影時の天候、撮影場所、撮影の対象（被写体）など、撮影時の条件によっては、どのような画像が撮影されるのかが分からないという問題がある。つまり、撮影された画像（撮影画像）の内容によっては、ノイズ量を正しく求めることができず、撮影画像のノイズを最適な強度で低減することができなかった。
【０００６】
本発明は、上記従来技術の課題を解決するためのものである。本発明の目的は、撮影時に生じる画像のノイズを低減するための最適な強度のノイズリダクションパラメータを決定することができるノイズリダクション装置およびノイズリダクションプログラムを提供することである。
【課題を解決するための手段】
【０００７】
第１の発明のノイズリダクション装置は、取得した無彩色画像からノイズ量を算出する算出手段と、算出手段によって算出されたノイズ量を、予め定められた基準ノイズ量と比較することにより、画像に施すノイズ低減処理の強度パラメータを決定する決定手段とを備える。
【０００８】
第２の発明は、第１の発明において、ユーザーにより予め与えられた無彩色の被写体を撮影した画像を、無彩色画像とする。
【０００９】
第３の発明は、第１の発明において、遮光状態で撮影された暗黒画像を、無彩色画像とする。
【００１０】
第４の発明は、第１〜第３の発明の何れか一の発明において、算出手段が算出するノイズ量は、無彩色画像の画像信号の最大値と最小値との差、標準偏差、分散、空間周波数変換後の高周波成分の大きさの何れかである。
【００１１】
第５の発明は、第１〜第４の発明の何れか一の発明において、決定手段は、算出手段によって算出されたノイズ量が、基準ノイズ量と等しい場合には、基準ノイズ量に対して予め定められた強度パラメータをノイズ低減処理の強度パラメータとして決定する。
【００１２】
第６の発明は、第１〜第５の発明の何れか一の発明において、決定手段は、算出手段によって算出されたノイズ量が、基準ノイズ量の一段階上または一段階下の予め定められたノイズ量と等しい場合には、その一段階上または一段階下のノイズ量に対して予め定められた強度パラメータをノイズ低減処理の強度パラメータとして決定する。
【００１３】
第７の発明は、第１〜第６の発明の何れか一の発明において、決定手段は、算出手段によって算出されたノイズ量が、基準ノイズ量を超え、かつ、前記一段階上のノイズ量を下回る値である場合には、基準ノイズ量に対して予め定められた強度パラメータと、前記一段階上のノイズ量に対して予め定められた強度パラメータとを加重平均し、その結果の値をノイズ低減処理の強度パラメータとして決定する。
【００１４】
第８の発明は、第１〜第７の発明の何れか一の発明において、決定手段は、算出手段によって算出されたノイズ量が、基準ノイズ量を下回り、かつ、前記一段階下のノイズ量を超える値である場合には、基準ノイズ量に対して予め定められた強度パラメータと、前記一段階下のノイズ量に対して予め定められた強度パラメータとを加重平均し、その結果の値をノイズ低減処理の強度パラメータとして決定する。
【００１５】
第９の発明は、第７または第８の発明において、決定手段は、加重平均する際に、算出手段によって算出されたノイズ量と近い値の方の強度パラメータに対して重みを大きくする。
【００１６】
第１０の発明は、第１〜第９の発明の何れか一の発明において、決定手段は、算出手段によって算出されたノイズ量が、予め定められた許容量を超える場合、または予め定められた許容量を下回る場合には、ノイズ低減処理の強度パラメータを既存の決定方法によって決定する。
【００１７】
第１１の発明は、第１〜第１０の発明の何れか一の発明において、決定手段によって決定された強度パラメータに基づき、撮影画像に対してノイズ低減処理を施す画像処理手段を更に備え、画像処理手段は、撮影画像が、無彩色画像が撮影されたときから予め定められた時間を経過した後に撮影されたものである場合には、決定手段によって決定された強度パラメータに代えて、既存の決定方法によって決定された強度パラメータを使用する。
【００１８】
第１２の発明は、第１１の発明において、画像処理手段は、撮影画像が撮影されたときの該撮影を行った装置の温度が、予め定められた温度よりも高い場合には、決定手段によって決定された強度パラメータに代えて、既存の決定方法によって決定された強度パラメータを使用する。
【００１９】
第１３の発明のノイズリダクションプログラムは、取得した無彩色画像からノイズ量を算出する算出ステップと、算出ステップによって算出されたノイズ量を、予め定められた基準ノイズ量と比較することにより、画像に施すノイズ低減処理の強度パラメータを決定する決定ステップとをコンピュータに実行させる。
【００２０】
第１４の発明は、第１３の発明において、ユーザーにより予め与えられた無彩色の被写体を撮影した画像を、無彩色画像とする。
【００２１】
第１５の発明は、第１３の発明において、遮光状態で撮影された暗黒画像を、無彩色画像とする。
【００２２】
第１６の発明は、第１３〜第１５の発明の何れか一の発明において、算出ステップが算出するノイズ量は、無彩色画像の画像信号の最大値と最小値との差、標準偏差、分散、空間周波数変換後の高周波成分の大きさの何れかである。
【００２３】
第１７の発明は、第１３〜第１６の発明の何れか一の発明において、決定ステップは、算出ステップによって算出されたノイズ量が、基準ノイズ量と等しい場合には、基準ノイズ量に対して予め定められた強度パラメータをノイズ低減処理の強度パラメータとして決定する。
【００２４】
第１８の発明は、第１３〜第１７の発明の何れか一の発明において、決定ステップは、算出ステップによって算出されたノイズ量が、基準ノイズ量の一段階上または一段階下の予め定められたノイズ量と等しい場合には、その一段階上または一段階下のノイズ量に対して予め定められた強度パラメータをノイズ低減処理の強度パラメータとして決定する。
【００２５】
第１９の発明は、第１３〜第１８の発明の何れか一の発明において、決定ステップは、算出ステップによって算出されたノイズ量が、基準ノイズ量を超え、かつ、前記一段階上のノイズ量を下回る値である場合には、基準ノイズ量に対して予め定められた強度パラメータと、前記一段階上のノイズ量に対して予め定められた強度パラメータとを加重平均し、その結果の値をノイズ低減処理の強度パラメータとして決定する。
【００２６】
第２０の発明は、第１３〜第１９の発明の何れか一の発明において、決定ステップは、算出ステップによって算出されたノイズ量が、基準ノイズ量を下回り、かつ、前記一段階下のノイズ量を超える値である場合には、基準ノイズ量に対して予め定められた強度パラメータと、前記一段階下のノイズ量に対して予め定められた強度パラメータとを加重平均し、その結果の値をノイズ低減処理の強度パラメータとして決定する。
【００２７】
第２１の発明は、第１９または第２０の発明において、決定ステップは、加重平均する際に、算出ステップによって算出されたノイズ量と近い値の方の強度パラメータに対して重みを大きくする。
【００２８】
第２２の発明は、第１３〜第２１の発明の何れか一の発明において、決定ステップは、算出ステップによって算出されたノイズ量が、予め定められた許容量を超える場合、または予め定められた許容量を下回る場合には、ノイズ低減処理の強度パラメータを既存の決定方法によって決定する。
【００２９】
第２３の発明は、第１３〜第２２の発明の何れか一の発明において、決定ステップによって決定された強度パラメータに基づき、撮影画像に対してノイズ低減処理を施す画像処理ステップを更にコンピュータに実行させ、画像処理ステップは、撮影画像が、無彩色画像が撮影されたときから予め定められた時間を経過した後に撮影されたものである場合には、決定ステップによって決定された強度パラメータに代えて、既存の決定方法によって決定された強度パラメータを使用する。
【００３０】
第２４の発明は、第２３の発明において、画像処理ステップは、撮影画像が撮影されたときの該撮影を行った装置の温度が、予め定められた温度よりも高い場合には、決定ステップによって決定された強度パラメータに代えて、既存の決定方法によって決定された強度パラメータを使用する。
【発明の効果】
【００３１】
本発明では、取得した無彩色画像からノイズ量を算出し、その算出したノイズ量を予め定められた基準ノイズ量と比較することにより、画像に施すノイズ低減処理の強度パラメータ（ノイズリダクションパラメータ）を決定する。なお、無彩色画像は、ノイズ量の算出に影響を与えるエッジ成分などを含んでいないため、ノイズ量を算出するのに好適な画像である。
【００３２】
従って、本発明を利用すれば、撮影時に生じる画像のノイズを低減するための最適な強度のノイズリダクションパラメータを決定することができる。
【発明を実施するための最良の形態】
【００３３】
以下、本発明の実施形態を説明する。本実施形態は、デジタルカメラの実施形態である。
【００３４】
図１は、本実施形態のデジタルカメラの構成を示すブロック図である。
【００３５】
デジタルカメラは、撮影レンズ１１およびレンズ駆動部１２と、撮像素子１３と、アナログ信号処理部１４と、タイミングジェネレータ（ＴＧ）１５と、バッファメモリ１６と、画像処理部１７と、モニタ１８と、制御部１９と、操作部２０と、圧縮／復号部２１と、記録媒体２２と、バス２３とを有している。ここで、バッファメモリ１６、画像処理部１７、モニタ１８、制御部１９、圧縮／復号部２１、記録媒体２２は、バス２３を介して接続されている。また、レンズ駆動部１２、アナログ信号処理部１４、ＴＧ１５、操作部２０は、それぞれ制御部１９に接続されている。
【００３６】
撮影レンズ１１は、フォーカスレンズやズームレンズを含む複数のレンズ群で構成されている。なお、簡単のため、図１では撮影レンズ１１を１枚のレンズとして図示している。
【００３７】
レンズ駆動部１２は、制御部１９の指示に応じてレンズ駆動信号を発生し、撮影レンズ１１を光軸方向に移動させてフォーカス調整やズーム調整を行うと共に、撮影レンズ１１を通過した光束による被写体像を撮像素子１３の受光面に形成する。
【００３８】
撮像素子１３は、ＣＣＤ型やＣＭＯＳ型の撮像素子であり、撮影レンズ１１の像空間側に配置されている。撮像素子１３は、受光面に形成された被写体像を光電変換してアナログ画像信号を生成する。この撮像素子１３の出力はアナログ信号処理部１４に接続されている。
【００３９】
アナログ信号処理部１４は、制御部１９の指示に応じて、撮像素子１３から出力されたアナログ画像信号に対し、ＣＤＳ（相関二重サンプリング）、ゲイン調整、Ａ／Ｄ変換などのアナログ信号処理を施すと共に、処理後の画像信号を出力する。また、アナログ信号処理部１４は、制御部１９の指示に基づいてゲイン調整の調整量を設定し、それによってＩＳＯ感度に相当する撮像感度の調整を行う。なお、アナログ信号処理部１４の出力はバッファメモリ１６に接続されている。
【００４０】
ＴＧ１５は、制御部１９の指示に基づき撮像素子１３およびアナログ信号処理部１４に対してタイミングパルスを供給する。撮像素子１３およびアナログ信号処理部１４の駆動タイミングはそのタイミングパルスによって制御される。
【００４１】
バッファメモリ１６は、アナログ信号処理部１４から出力される画像信号を画像データとして一時的に記憶する。また、バッファメモリ１６は、制御部１９による処理の過程で作成された画像データを一時的に記憶する。
【００４２】
画像処理部１７は、制御部１９の指示に応じて、バッファメモリ１６の画像データに対し、ホワイトバランス調整、色分離（補間）、輪郭強調、ガンマ補正、またノイズリダクションなどの画像処理を施す。なお、ホワイトバランス（ＷＢ）調整は、画像処理部１７が、制御部１９によって算出されたＷＢ制御値（ＷＢゲイン：ｇr、ｇb）を画像データのＲ成分およびＢ成分へ乗算することによって行う。また、ノイズリダクション（ＮＲ）は、画像処理部１７が、制御部１９により決定されたＮＲの強度を示すパラメータ（ＮＲパラメータ）に基づきノイズ低減フィルタ処理を画像データに施すことによって行う。この画像処理部１７は、ＡＳＩＣなどとして構成される。
【００４３】
モニタ１８は、デジタルカメラ筐体の背面などに設けられたＬＣＤモニタや、接眼部を備えた電子ファインダなどであり、制御部１９の指示に応じて各種の画像を表示する。
【００４４】
操作部２０は、モード設定ボタンやレリーズボタンなどの各種の操作部材を含み、ユーザーによる部材操作の内容に応じた操作信号を制御部１９に送る。
【００４５】
圧縮／復号部２１は、制御部１９の指示に応じて、バッファメモリ１６の画像データに圧縮処理を施す。なお、圧縮処理は、ＪＰＥＧ（Joint Photographic Experts Group）形式などによって行われる。
【００４６】
また、圧縮／復号部２１は、可逆圧縮（いわゆるロスレス符号化）を行うことも可能な構成となっている。
【００４７】
記録媒体２２は、メモリカード、小型ハードディスク、ＤＶＤ等の光ディスクなどで構成される。なお、記録媒体２２は、デジタルカメラに内蔵されるものであっても、着脱可能に装着されるものであってもよいし、外部に設けられるものであってもよい。外部に設けられる場合、記録媒体２２とデジタルカメラとは、有線または無線で電気的に接続される。
【００４８】
制御部１９は、ユーザーによる操作部材の操作内容に応じて、デジタルカメラの各部を統括制御する。
【００４９】
例えば、モード設定ボタン等の操作によりデジタルカメラが撮影モードに設定されると、制御部１９は、レンズ駆動部１２、アナログ信号処理部１４およびＴＧ１５を駆動してスルー画像の撮影を開始する。このとき、撮像素子１３はドラフトモード（間引き読み出しモード）で駆動され、スルー画像の画像データがアナログ信号処理部１４を介してバッファメモリ１６へ順次記録される。制御部１９は、そのスルー画像の画像データを基に、レンズ駆動部１２と協働して撮像レンズ１１の焦点調節制御（ＡＦ）を行う。また、制御部１９は、不図示の測光部を駆動して、バッファメモリ１６のスルー画像の画像データを基に撮影シーンの評価値を算出させると、その評価値に基づきアナログ信号処理部１４などの設定内容を調整する。また、制御部１９は、画像処理部１７を駆動してバッファメモリ１６のスルー画像の画像データに画像処理を施すと共に、その画像処理後のスルー画像の画像データをモニタ１８に順次表示させる（ライブビュー表示）。
【００５０】
また、撮影モードでレリーズボタンが半押しされると、制御部１９は、本撮影に先立ち、レンズ駆動部１２と協働して撮像レンズ１１の焦点調節制御（ＡＦ）を行う。
【００５１】
また、撮影モードでレリーズボタンが全押しされると、制御部１９は、不図示の測光部が算出した評価値に基づき撮影条件（絞り値、シャッター速度、ストロボ発光の有無など）を決定する。そして、制御部１９は、決定した撮影条件の下でレンズ駆動部１２、アナログ信号処理部１４およびＴＧ１５を駆動して本撮影を実施する。このとき、撮像素子１３はフレームモード（全画素読み出しモード）で駆動され、撮影された本撮影画像の画像データがアナログ信号処理部１４を介してバッファメモリ１６へ記録される。この後、制御部１９は、画像処理部１７を駆動して、バッファメモリ１６に記録された本撮影画像の画像データに対し画像処理を施す。また、制御部１９は、その画像処理後の本撮影画像をモニタ１８に表示させる。そして、制御部１９は、圧縮／復号部２１を駆動して、画像処理後の本撮影画像の画像データに対し圧縮処理を施すと共に、圧縮処理後の本撮影画像の画像データを記録媒体２２へ記録する。但し、デジタルカメラが非圧縮記録モードに設定されている場合には、制御部１９は、圧縮／復号部２１を駆動することなく、画像処理後の本撮影画像の画像データを非圧縮のまま記録媒体２２へ記録する。
【００５２】
ところで、上記の動作において、スルー画像および本撮影画像に対する画像処理部１７でのホワイトバランス（以下、ＷＢとする。）調整は、デジタルカメラのＷＢモード設定によって以下のように行われる。
【００５３】
デジタルカメラのＷＢモードが「プリセットＷＢモード」に設定された場合には、画像処理部１７でのＷＢ調整は、無彩色の被写体を画面全体で撮影することによって取得された本撮影画像（白基準として用いる画像。以下、「プリセット画像」とする。）の画像データに基づき制御部１９が算出したＷＢ制御値を用いて行われる。なお、無彩色の被写体とは、予めユーザーによって与えられる、例えば、白やグレーの紙などである。また、ＷＢモードが「マニュアルＷＢモード」に設定された場合には、画像処理部１７でのＷＢ調整は、ユーザーが設定したそのマニュアルＷＢモードの種類（例えば、「晴天」、「曇天」、「蛍光灯」、「電球」など）に基づき制御部１９が算出したＷＢ制御値を用いて行われる。また、ＷＢモードが「オートＷＢモード」に設定された場合には、画像処理部１７でのＷＢ調整は、制御部１９がスルー画像または本撮影画像の画像データに基づきリアルタイムに算出したＷＢ制御値を用いて行われる。
【００５４】
ここで、本実施形態のデジタルカメラは、画像処理部１７に実行させるノイズリダクション（ＮＲ）のＮＲパラメータを、上記のプリセットＷＢモードで取得されるプリセット画像を使用して決定する。
【００５５】
そして、そのＮＲパラメータに基づき、画像処理部１７で本撮影画像等に対してノイズリダクションが行われる。
【００５６】
以下、本実施形態のデジタルカメラが行うＮＲパラメータ決定の動作を、図２の流れ図を参照して説明する。図２のフローチャートは、ユーザーがデジタルカメラをプリセットＷＢモードに設定してＷＢ用のプリセット画像を取得しようとする場合に実行されるものである。
【００５７】
ステップＳ１０１：制御部１９は、ユーザーによって与えられた無彩色の被写体を撮影するために本撮影を実施する。その実施により撮影された本撮影画像（プリセット画像）は、アナログ信号処理部１４を介してバッファメモリ１６へ記録される。このようにして、ＷＢ用のプリセット画像が取得される。なお、取得されたプリセット画像は、ＷＢ制御値の算出、またＮＲパラメータの決定には使用されるが、通常の撮影モードでの本撮影で取得される本撮影画像とは異なり、記録媒体２２へは記録されない。
【００５８】
ステップＳ１０２：制御部１９は、プリセット画像に基づき、ＷＢ制御値を算出する。具体的には、例えば、プリセット画像を基に、その画像信号をＲ，Ｇ，Ｂの各色成分毎に合計する。そして、得られた各色毎の画素値の和が同じ比率となる係数、即ち、プリセット画像の平均色を無彩色とする係数をＷＢ制御値として算出する。
【００５９】
ステップＳ１０３：制御部１９は、次に、プリセット画像に基づき、ノイズリダクション（ＮＲ）の強度を示すＮＲパラメータを決定する。
【００６０】
ところで、ＮＲパラメータの決定は、一般に、例えば、図３に示すテーブルなどを用いて行われる。つまり、撮影感度（ＩＳＯ感度）に応じてＮＲパラメータが決定される。なお、図３のテーブルは、デジタルカメラのＲＯＭ（不図示）などの記憶媒体に予め格納されるものである。
【００６１】
図３の例では、デジタルカメラの撮影感度が「１００」に設定されている場合には、ＮＲパラメータは「ａ１，ｂ１，ｃ１，・・・」との値に決定される。また、撮影感度が「４００」に設定されている場合には、ＮＲパラメータは「ａ３，ｂ３，ｃ３，・・・」との値に決定される。なお、「ａ１，ｂ１，ｃ１，・・・」や「ａ３，ｂ３，ｃ３，・・・」との値は、ノイズ低減フィルタ処理での演算に用いられる係数を示している。この係数は、設計などによって予め決定されるものである。
【００６２】
ところが、このような方法で決定されたＮＲパラメータは、実際の撮影時に発生する画像のノイズ量に対して最適なものとはなっていない。
【００６３】
そこで、本実施形態のデジタルカメラでは、無彩色の被写体を撮影したプリセット画像のノイズ量を実測して、そのノイズ量に対してノイズリダクション（ＮＲ）の強度が最適となるようにＮＲパラメータを決定する。なお、プリセット画像からノイズ量を測定するのは、それが、測定に影響を与えるエッジ成分などを含んでいない好適な画像だからである。
【００６４】
ステップＳ１０３−１：制御部１９は、先ず、プリセット画像に基づき、画像の輝度平均値およびノイズ量を求める。具体的には、プリセット画像の中央部分の所定サイズの領域（評価領域）を参照して、その評価領域の輝度平均値およびノイズ量を求める。
【００６５】
なお、プリセット画像のサイズが、例えば、ＳＶＧＡ（８００×６００ｐｉｘｅｌ）の場合には、「１００×１００ｐｉｘｅｌ」のサイズの領域を評価領域として参照する。
【００６６】
また、ノイズ量は、評価領域の画像信号を基に、以下の何れかの項目について求めた値である。
【００６７】
●最大値と最小値との差
●分散
●標準偏差
●空間周波数領域へ変換した後の高周波成分の大きさ
以下では、ノイズ量が、評価領域の輝度の最大値と最小値との差であるものとして説明を行う。
【００６８】
ステップＳ１０３−２：制御部１９は、次に、上記で求めた輝度平均値およびノイズ量に基づき、そのノイズ量に最適なＮＲパラメータを取得する。具体的には、例えば、図４に示すテーブルを用いてＮＲパラメータを取得する。
【００６９】
上記で求めた輝度平均値が、例えば「１５０」であれば、図４のテーブルの平均輝度「１５０」に対応した列を参照する。
【００７０】
そして、例えば、プリセット画像を取得したときの撮影感度（基準感度）の設定が「２００」であれば、参照中の列と、図４のテーブルの撮影感度「２００」に対応した行とが交差する部分に設定されたノイズ量「２」を基準ノイズ量として取得する。
【００７１】
ここで、上記で求めたノイズ量が、例えば「２」であれば、基準ノイズ量との差がないので、図４のテーブルで撮影感度「２００」に対して設定された「ａ２，ｂ２，ｃ２，・・・」とのＮＲパラメータをそのまま取得する。
【００７２】
また、上記で求めたノイズ量が、例えば「４」であれば、基準ノイズ量（「２」）を超えているので、図４のテーブルにおいて１行下のノイズ量、即ち、基準感度よりも１段階上の撮影感度「４００」に対して設定されたノイズ量「４」を取得する。そして、両者を比較すると、求めたノイズ量は、その取得したノイズ量「４」を超えておらず、かつ、両者は値が一致している。従って、この場合には、その撮影感度「４００」に対して設定された「ａ３，ｂ３，ｃ３，・・・」とのＮＲパラメータを取得する。
【００７３】
また、上記で求めたノイズ量が、例えば「３」であれば、基準ノイズ量（「２」）を超えているので、同様に、図４のテーブルから、基準感度よりも１段階上の撮影感度「４００」に対して設定されたノイズ量「４」を取得する。そして、両者を比較すると、求めたノイズ量は、その取得したノイズ量「４」よりも値が小さい。従って、この場合には、撮影感度「２００」に対して設定されたＮＲパラメータ「ａ２，ｂ２，ｃ２，・・・」と、撮影感度「４００」に対して設定されたＮＲパラメータ「ａ３，ｂ３，ｃ３，・・・」とを加重平均した値を、ＮＲパラメータとして取得する。なお、このようにＮＲパラメータを加重平均する際には、比較対象のノイズ量のうち、求めたノイズ量との差が小さい方に対して設定されたＮＲパラメータの重みを大きくするようにする。
【００７４】
また、上記で求めたノイズ量が、基準ノイズ量（「２」）および撮影感度が１段階上のノイズ量（「４」）を超えたあまりに大きな値、例えば「１２」や「２０」のような値である場合には、ＮＲパラメータの取得は行わない。但し、そうした場合には、従来どおり、撮影モードで撮影が行われた時点で、例えば、図３のテーブルなどから撮影感度に応じたＮＲパラメータが取得され、そのＮＲパラメータに基づき本撮影画像等に対してノイズリダクションが行われる。
【００７５】
ステップＳ１０３−３：制御部１９は、プリセット画像に基づき上記のように取得したＮＲパラメータを、撮影モードでの撮影時に画像処理部１７に実行させるノイズリダクション（ＮＲ）のＮＲパラメータとして決定し、それを不図示のメモリなどへ記録する。
【００７６】
ステップＳ１０３（復帰点）：制御部１９は、上記のようにＮＲパラメータを決定した後に本フローチャートの処理を終了する。
【００７７】
なお、図４のテーブルは、設計などによって予め決定され、デジタルカメラのＲＯＭ（不図示）などの記憶媒体に予め格納されるものである。
【００７８】
（実施形態の補足事項）
なお、上記では、求めたノイズ量が、基準ノイズ量および撮影感度が１段階上のノイズ量を超えたあまりに大きな値である場合、つまり許容量を超える場合には、ＮＲパラメータの取得が行われないことを説明したが、それとは反対の場合にもＮＲパラメータの取得を行わないようにするとよい。つまり、求めたノイズ量が、基準ノイズ量および撮影感度が１段階下のノイズ量に比べてあまりに小さい値である場合、つまり許容量を下回る場合にも、ＮＲパラメータの取得を行わないようにする。但し、そうした場合には、従来どおり、撮影が行われた時点で、例えば、図３のテーブルなどから撮影感度に応じたＮＲパラメータを取得して、そのＮＲパラメータに基づき本撮影画像等に対してノイズリダクションを行うようにする。
【００７９】
また、上記では、求めたノイズ量が、基準ノイズ量と、基準感度よりも１段階上または下の撮影感度に対して設定されたノイズ量との間にある場合は、基準感度とその１段階上または下の撮影感度とに対して設定されたＮＲパラメータ同士を加重平均し、その結果の値をＮＲパラメータとして取得するように説明した。しかし、加重平均をとるのではなく、例えば、図５に示すテーブルを用いてＮＲパラメータを取得するようにしてもよい。
【００８０】
具体的には、例えば、求めた輝度平均値が「１５０」であり、基準感度が「２００」である場合には、図５のテーブルから基準ノイズ量「２」が取得される。そして、求めたノイズ量が「３」であれば、基準ノイズ量（「２」）よりも高いので、図５のテーブル中の基準感度「２００」に対して設定された「高」と示される方のＮＲパラメータ「ａ２ｈ，ｂ２ｈ，ｃ２ｈ，・・・」を取得するようにする。また、求めたノイズ量が「１．５」であれば、基準ノイズ量（「２」）よりも低いので、図５のテーブル中の基準感度「２００」に対して設定された「低」と示される方のＮＲパラメータ「ａ２ｌ，ｂ２ｌ，ｃ２ｌ，・・・」を取得するようにする。
【００８１】
また、上記では、ＮＲパラメータの決定方法の一例として、図４のテーブルを用いてＮＲパラメータを決定する方法を説明した。しかし、ＮＲパラメータの決定は、例えば、図６に示すグラフのデータを用いて行うようにしてもよい。
【００８２】
具体的には、先ず、プリセット画像の評価領域の画像信号レベルについて、Ｒ，Ｇ，Ｂの各色成分毎にその平均値を求める。また、その評価領域の画像信号について、Ｒ，Ｇ，Ｂの各色成分毎にノイズ量を求める。例えば、Ｒ，Ｇ，Ｂの各色成分毎に画像信号レベルの最大値と最小値との差を求める。
【００８３】
次に、図６のグラフの横軸（画像信号レベル）において上記で求めたＲ，Ｇ，Ｂの各色成分の平均値のそれぞれが対応する点と、縦軸（ノイズ量）において上記で求めたＲ，Ｇ，Ｂの各色成分のノイズ量のそれぞれが対応する点との交差点が、基準カーブからどの程度ズレているかを求め、その求めた値を基準カーブからのズレ量とする。
【００８４】
図６の例では、求めた各色成分毎の平均値とノイズ量との交差点、即ち、実測点は、それぞれ「Ｒ：１２０，１０」、「Ｇ：２００，１３」、「Ｂ：１００，８」と示した位置にある。また、基準カーブの基準点を示す各色成分毎の平均値とノイズ量との交差点は、それぞれ「Ｒ：１２０，８」、「Ｇ：２００，１０」、「Ｂ：１００，６」と示した位置にある。そして、それらの実測点と基準点とのズレ量は、実測点の「Ｒ：１２０，１０」、「Ｇ：２００，１３」、「Ｂ：１００，８」から、基準点の「Ｒ：１２０，８」、「Ｇ：２００，１０」、「Ｂ：１００，６」をそれぞれ減算した値となる。つまり、図６の例では、Ｒのズレ量は「２」、Ｇのズレ量は「３」、Ｂのズレ量は「２」である。
【００８５】
このようにズレ量を求めた後、そのズレ量に対して予め設定されたＮＲパラメータを取得して、その取得した値を撮影モードでの撮影時に画像処理部１７に実行させるノイズリダクション（ＮＲ）のＮＲパラメータとして決定するようにする。
【００８６】
なお、この場合には、Ｒ，Ｇ，Ｂの各色成分に対してそれぞれＮＲパラメータが決定されるので、画像処理部１７でノイズリダクションを実行する際には、Ｒ，Ｇ，Ｂの各色成分毎に、それぞれ決定されたＮＲパラメータを使用してノイズの低減処理を行うようにする。
【００８７】
また、実際には、実測点は、図６の例とは異なり、横軸（画像信号レベル）方向にもズレてしまう場合がある。その場合、実測点（図６の例では３点）を曲線によって結び、そして、そのカーブ上の各実測点と、基準カーブ上の対応する基準点とを結ぶ直線を対角線として示される四角形の面積を、各色成分のズレ量として求めるようにするとよい。
【００８８】
また、図６の基準カーブのデータは、例えば以下のようにして作成することができる。
【００８９】
先ず、無彩色の被写体を適正露出で撮影したプリセット画像の評価領域の画像信号レベルについて、Ｒ，Ｇ，Ｂの各色成分毎にその平均値を求める。また、その評価領域の画像信号について、Ｒ，Ｇ，Ｂの各色成分毎にノイズ量を求める。例えば、Ｒ，Ｇ，Ｂの各色成分毎に画像信号レベルの最大値と最小値との差を求める。
【００９０】
次に、図６のグラフ上で、求めたＲ，Ｇ，Ｂの各色成分の平均値のそれぞれが横軸（画像信号レベル）において対応する点と、求めたＲ，Ｇ，Ｂの各色成分のノイズ量のそれぞれが縦軸（ノイズ量）において対応する点とが交差する点に、ズレ量を求める際の基準となる基準点をプロットする。なお、この場合、Ｒ，Ｇ，Ｂに対応した３つの基準点がプロットされる。
【００９１】
そして、プロットした基準点を曲線によって結んで基準カーブのデータを作成する。
【００９２】
なお、プロットする基準点の数は、上記の３点（Ｒ，Ｇ，Ｂ）に限らず、それより増やしてもよい。その場合、露出を変更しながらプリセット画像を更に数回撮影して、露出の異なるプリセット画像毎に基準点を求め、その求めた基準点を図６のグラフ上にプロットするようにする。例えば、プリセット画像が更に２回撮影された場合には６点が増えて、合計９点の基準点がプロットされる。そうすれば、基準カーブのデータの精度を高めることができる。
【００９３】
また、上記では特に述べなかったが、プリセット画像を取得してＮＲパラメータを決定したときの撮影感度と、その後に撮影モードで撮影するときの撮影感度とが異なる場合には、例えば、以下のようにしてＮＲパラメータを決定する。
【００９４】
例えば、プリセット画像から求めた輝度平均値が「１５０」、プリセット画像取得時の撮影感度（基準感度）が「２００」、プリセット画像から求めたノイズ量が「４」である場合には、既述のように、図４のテーブル中の撮影感度「４００」に対して設定された「ａ３，ｂ３，ｃ３，・・・」とのＮＲパラメータを取得する。つまり、この場合には、基準感度の１段階上の撮影感度に対して設定されたＮＲパラメータを取得する。
【００９５】
また、その時点で、取得したＮＲパラメータが基準感度の「１段階上」のものであることを補正情報として不図示のメモリなどに記録しておく。つまり、取得したＮＲパラメータが基準感度からどれだけズレたものであるかを示す相対値、例えば、「０（ズレなし）」、「＋ｎ（ｎ段階上にズレている）」、「−ｎ（ｎ段階下にズレている）」とのような値を補正情報として記録しておく。
【００９６】
そして、撮影モードで撮影するときに、その補正情報と図４のテーブルを用いてＮＲパラメータを決定するようにする。具体的には、例えば、撮影感度がプリセット画像取得時よりも１段階上の「４００」に設定されていれば、不図示のメモリなどから取得した補正情報（「＋１」）に基づき、現在の撮影感度「４００」よりも更に「１段階上」の撮影感度「８００」に対して設定された「ａ４，ｂ４，ｃ４，・・・」とのＮＲパラメータを図４のテーブルから取得する。そして、その取得した値を画像処理部１７に実行させるノイズリダクション（ＮＲ）のＮＲパラメータとして決定するようにする。
【００９７】
また、上記の動作においてプリセット画像に基づき決定されたＮＲパラメータは、プリセット画像が取得されたときから所定時間（例えば、２〜３時間）が経過した後は不適切な値となってしまうことが考えられるため、撮影モードでの撮影時のＮＲパラメータには使用しないようにする。また、撮影モードでの撮影時において、デジタルカメラの温度センサ（不図示）の出力が所定値を超える場合、つまり、デジタルカメラ内部の温度が所定温度よりも高くなった場合にも、同様に、その撮影時のＮＲパラメータとしては使用しないようにする。なお、そうした場合には、従来どおり、撮影モードで撮影が行われた時点で、例えば、図３のテーブルなどから撮影感度に応じたＮＲパラメータを取得して、そのＮＲパラメータに基づき本撮影画像等に対してノイズリダクションを行うようにする。
【００９８】
換言すれば、撮影モードで撮影された画像が、プリセット画像が撮影されたときから所定時間を経過した後に撮影されたものである場合や、撮影モードでの撮影時にデジタルカメラの温度が所定温度よりも高い場合には、プリセット画像に基づき決定したＮＲパラメータに代えて、既存の決定方法で決定したＮＲパラメータを使用するよにする。
【００９９】
また、上記では、ＮＲパラメータの決定に無彩色の被写体を撮影したプリセット画像を使用した。しかし、プリセット画像を撮影する際、それとは別に、メカニカルシャッター（不図示）を閉じた状態にしたまま、つまり遮光状態で、例えば１／８０００秒程度の電子シャッター速度で本撮影画像（暗黒画像）をもう一枚撮影し、その暗黒画像を使用してＮＲパラメータを決定するようにしてもよい。そうすれば、特に高感度設定でプリセット画像を撮影した場合に、ノイズ成分の際立った暗黒画像が一緒に撮影されるので、その暗黒画像を使用することで、ノイズに対して最適なＮＲパラメータを決定することができる。
【０１００】
また、上記では、本発明のノイズリダクション装置を１つの装置、即ち、デジタルカメラとして実現した例を説明した。しかし、ノイズリダクション装置とデジタルカメラとは、例えば以下のように機能を分けて、別体の装置としてもよい。
【０１０１】
（第１の例）
デジタルカメラでは、プリセット画像を取得すると共に、そのプリセット画像に基づいて輝度平均値およびノイズ量を求める。或いは、求めたそれらの値に基づいてＮＲパラメータを決定する。そして、撮影モードにおいて撮影した本撮影画像等を記録する際、その本撮影画像等の画像ファイルに、先に求めた輝度平均値およびノイズ量、或いは先に決定したＮＲパラメータを一緒に記録する。なお、この場合に記録される本撮影画像等は、ノイズリダクションが未実施のものである。また、本撮影画像等の画像ファイルが、例えば、Ｅｘｉｆ規格に基づくものであれば、そのノイズ量などの情報はファイルのタグ情報として記録される。
【０１０２】
一方、ノイズリダクション装置では、デジタルカメラによって記録された本撮影画像等の画像ファイルを記録媒体などから取得し、その画像ファイルに記録されている輝度平均値およびノイズ量に基づいてＮＲパラメータを決定する。そして、決定したＮＲパラメータに基づき、本撮影画像等に対してノイズリダクションを行う。或いは、その画像ファイルに記録されているＮＲパラメータに基づき、本撮影画像等に対してノイズリダクションを行う。
【０１０３】
（第２の例）
デジタルカメラでは、プリセット画像を取得すると共に、そのプリセット画像をＲＡＷ形式の画像データとして記録する。そして、撮影モードにおいて撮影した本撮影画像等についても、ＲＡＷ形式の画像データとして記録する。なお、この場合に記録される本撮影画像等は、ノイズリダクションが未実施のものである。
【０１０４】
一方、ノイズリダクション装置では、デジタルカメラによって記録されたプリセット画像を記録媒体などから取得し、そのプリセット画像に基づいてＮＲパラメータを決定する。そして、デジタルカメラによって記録された本撮影画像等を記録媒体などから取得し、その本撮影画像等に対して、先に決定したＮＲパラメータに基づきノイズリダクションを行う。但し、本撮影画像等の撮影日時が、プリセット画像の撮影日時から所定時間（例えば、２〜３時間）を経過した後のものである場合には、従来どおり、例えば、図３のテーブルなどから本撮影画像等の撮影感度に応じたＮＲパラメータを取得して、そのＮＲパラメータに基づき本撮影画像等に対してノイズリダクションを行うようにする。また、本撮影画像等の撮影時点の装置温度が所定温度よりも高いと判断できる場合にも、同様に、従来どおり取得したＮＲパラメータに基づき本撮影画像等に対してノイズリダクションを行うようにする。なお、その装置温度の判断は、例えば、本撮影画像等の画像ファイルに記録されたタグ情報などに基づいて行うようにする。
【０１０５】
（実施形態の作用効果）
以上、本実施形態のデジタルカメラでは、取得された無彩色の画像の画像信号に基づき、当該画像に生じたノイズ量が求められる（測定される）。そして、そのノイズ量と、予めテーブルなどに格納された基準ノイズ量の情報とを比較することにより、測定されたノイズ量に対し最適な強度のＮＲパラメータが取得されて、その取得された値が、撮影モードでの撮影時に行われるノイズ低減処理のＮＲパラメータとして決定される。
【０１０６】
なお、無彩色の画像は、ノイズ量の測定に影響を与えるエッジ成分などを含んでいない、ノイズ量を測定するのに好適な画像である。この無彩色の画像とは、ユーザーにより予め与えられた無彩色の被写体を撮影した画像や、遮光状態で撮影された暗黒画像のことである。
【０１０７】
また、本実施形態のデジタルカメラでは、取得された無彩色の画像の画像信号に基づき求められたノイズ量が、予め定められた許容量を超える場合、または予め定められた許容量を下回る場合には、撮影モードでの撮影時に行われるノイズ低減処理のＮＲパラメータが既存の決定方法によって決定される。
【０１０８】
また、本実施形態のデジタルカメラでは、無彩色の画像が取得されたときから所定時間が経過した後は、その無彩色の画像の画像信号に基づき決定されたＮＲパラメータに代えて、既存の決定方法により決定されたＮＲパラメータが、撮影モードでの撮影時に行われるノイズ低減処理のＮＲパラメータとして使用される。
【０１０９】
即ち、撮影モードで撮影された画像が、無彩色の画像が撮影されたときから所定時間を経過した後に撮影されたものである場合は、無彩色の画像の画像信号に基づき決定されたＮＲパラメータに代えて、既存の決定方法により決定されたＮＲパラメータが、撮影モードで撮影された画像に対するノイズ低減処理のＮＲパラメータとして使用される。
【０１１０】
また、本実施形態のデジタルカメラでは、無彩色の画像が取得されたときから所定時間が経過した後は、その無彩色の画像の画像信号に基づき決定されたＮＲパラメータに代えて、既存の決定方法により決定されたＮＲパラメータが、撮影モードでの撮影時に行われるノイズ低減処理のＮＲパラメータとして使用される。
【０１１１】
即ち、撮影モードでの撮影時にデジタルカメラの温度が所定温度よりも高い場合は、無彩色の画像の画像信号に基づき決定されたＮＲパラメータに代えて、既存の決定方法により決定されたＮＲパラメータが、撮影モードでの撮影時に行われるノイズ低減処理のＮＲパラメータとして使用される。
【０１１２】
したがって、本実施形態のデジタルカメラによれば、撮影時に生じる画像のノイズを低減するための最適な強度のノイズリダクションパラメータを決定することができる。
【図面の簡単な説明】
【０１１３】
【図１】実施形態のデジタルカメラの構成を示すブロック図である。
【図２】デジタルカメラが行うＮＲパラメータの決定の動作を示す流れ図である。
【図３】従来技術でＮＲパラメータの決定に使用するテーブルである。
【図４】本発明でＮＲパラメータの決定に使用するテーブル（その１）である。
【図５】本発明でＮＲパラメータの決定に使用するテーブル（その２）である。
【図６】本発明でＮＲパラメータの決定に使用するグラフである。
【符号の説明】
【０１１４】
１１…撮影レンズ，１２…レンズ駆動部，１３…撮像素子，１４…アナログ信号処理部，１５…タイミングジェネレータ（ＴＧ），１６…バッファメモリ，１７…画像処理部，１８…モニタ，１９…制御部，２０…操作部，２１…圧縮／復号部，２２…記録媒体，２３…バス
【図１】
2010130627.tif 000003
【図２】
2010130627.tif 000004
【図３】
2010130627.tif 000005
【図４】
2010130627.tif 000006
【図５】
2010130627.tif 000007
【図６】
2010130627.tif 000008